(57)【要約】【課題】適切な潤滑性能を確保することができる無段変速機を提供することを目的とする。【解決手段】無段変速機１は、変速機軸６０、第１回転要素１０、第２回転要素２０、転動部材５０、支持軸５１、支持回転要素４０、可動要素供給路８２を備える。可動要素供給路８２は、支持回転要素４０の可動要素４２に第１回転中心軸線Ｒ１と交差する方向に延在して設けられ、変速機軸６０内に供給された潤滑媒体を各回転要素間の変速比に応じて転動部材５０側に供給可能である。したがって、無段変速機１は、適切な潤滑性能を確保することができる、という効果を奏する。【選択図】図１
2014077468.tif 000002
【特許請求の範囲】
【請求項１】
回転中心となる変速機軸と、
前記変速機軸に軸方向に対向して配置され、共通の第１回転中心軸線を回転中心として相対回転可能である第１回転要素及び第２回転要素と、
前記第１回転中心軸線とは異なる第２回転中心軸線を回転中心として回転可能であり前記第１回転要素と前記第２回転要素とに挟持され当該第１回転要素及び当該第２回転要素との間でトルクを伝達可能である転動部材と、
前記第２回転中心軸線を回転中心として前記転動部材を支持し両端部が当該転動部材から突出した支持軸と、
前記第１回転中心軸線を回転中心として前記第１回転要素、及び、前記第２回転要素と相対回転可能に前記変速機軸に配置されると共に前記支持軸の一端部側に前記変速機軸と相対回転不能に設けられる固定要素と、前記支持軸の他端部側に前記固定要素と対向して配置され前記変速機軸と相対回転可能に設けられる可動要素とを有し、前記固定要素と前記可動要素とによって前記支持軸の両端部を前記転動部材の傾転動作が可能な状態で保持し、前記固定要素と前記可動要素との相対回転によって前記支持軸と共に前記転動部材を傾転させ各回転要素間の回転速度比である変速比を変更可能である支持回転要素と、
前記可動要素に前記第１回転中心軸線と交差する方向に延在して設けられ、前記変速機軸内に供給された潤滑媒体を前記各回転要素間の変速比に応じて前記転動部材側に供給可能である可動要素供給路とを備えることを特徴とする、
無段変速機。
【請求項２】
前記可動要素供給路は、前記各回転要素間の変速比が増速側の所定の変速比である場合に前記潤滑媒体を前記変速機軸側から前記転動部材側に供給する第１供給路を有する、
請求項１に記載の無段変速機。
【請求項３】
前記可動要素供給路は、前記各回転要素間の変速比が減速側の所定の変速比である場合に前記潤滑媒体を前記変速機軸側から前記転動部材側に供給する第２供給路を有する、
請求項１又は請求項２に記載の無段変速機。
【請求項４】
前記変速機軸内に設けられ前記潤滑媒体が供給される変速機軸供給路を備え、
前記可動要素供給路は、前記可動要素と前記固定要素との相対回転に伴った前記可動要素と前記変速機軸との相対回転に応じて、前記変速機軸供給路との連通状態が切り替わる、
請求項１乃至請求項３のいずれか１項に記載の無段変速機。
【請求項５】
前記支持軸は、前記第２回転中心軸線に沿って設けられ、前記可動要素供給路を介して前記転動部材側に供給された前記潤滑媒体を前記固定要素側に供給する支持軸供給路を有する、
請求項１乃至請求項４のいずれか１項に記載の無段変速機。
【請求項６】
前記転動部材は、前記第１回転要素に入力されたトルクを前記第２回転要素に伝達可能であり、
前記可動要素供給路は、前記各回転要素間の変速比が増速側の所定の変速比である場合、前記第１回転要素と前記転動部材との接触点側への前記潤滑媒体の供給量を前記第２回転要素と前記転動部材との接触点側への前記潤滑媒体の供給量より多くし、前記各回転要素間の変速比が減速側の所定の変速比である場合、前記第２回転要素と前記転動部材との接触点側への前記潤滑媒体の供給量を前記第１回転要素と前記転動部材との接触点側への前記潤滑媒体の供給量より多くする、
請求項１乃至請求項５のいずれか１項に記載の無段変速機。
【請求項７】
前記増速側の所定の変速比は、実現可能な最小変速比であり、
前記減速側の所定の変速比は、実現可能な最大変速比である、
請求項６に記載の無段変速機。
【発明の詳細な説明】
【技術分野】
【０００１】
本発明は、無段変速機に関する。
【背景技術】
【０００２】
いわゆるトラクションドライブ方式の従来の変速機として、例えば、特許文献１にはピボットアームに支持される球状の遊星（遊星ボール）の遊星軸を傾転させることで、複数の回転要素間で変速を行う変速機が開示されている。この変速機は、遊星のピボットアームに対して主軸から潤滑油を供給し、遊星を潤滑している。
【先行技術文献】
【特許文献】
【０００３】
【特許文献１】特表２０１０−５１９４６７号公報
【発明の概要】
【発明が解決しようとする課題】
【０００４】
ところで、上述のような特許文献１に記載されている無段変速機は、例えば、様々な構成に応じたより適切な潤滑の点で更なる改善の余地がある。
【０００５】
本発明は、上記の事情に鑑みてなされたものであって、適切な潤滑性能を確保することができる無段変速機を提供することを目的とする。
【課題を解決するための手段】
【０００６】
上記目的を達成するために、本発明に係る無段変速機は、回転中心となる変速機軸と、
前記変速機軸に軸方向に対向して配置され、共通の第１回転中心軸線を回転中心として相対回転可能である第１回転要素及び第２回転要素と、前記第１回転中心軸線とは異なる第２回転中心軸線を回転中心として回転可能であり前記第１回転要素と前記第２回転要素とに挟持され当該第１回転要素及び当該第２回転要素との間でトルクを伝達可能である転動部材と、前記第２回転中心軸線を回転中心として前記転動部材を支持し両端部が当該転動部材から突出した支持軸と、前記第１回転中心軸線を回転中心として前記第１回転要素、及び、前記第２回転要素と相対回転可能に前記変速機軸に配置されると共に前記支持軸の一端部側に前記変速機軸と相対回転不能に設けられる固定要素と、前記支持軸の他端部側に前記固定要素と対向して配置され前記変速機軸と相対回転可能に設けられる可動要素とを有し、前記固定要素と前記可動要素とによって前記支持軸の両端部を前記転動部材の傾転動作が可能な状態で保持し、前記固定要素と前記可動要素との相対回転によって前記支持軸と共に前記転動部材を傾転させ各回転要素間の回転速度比である変速比を変更可能である支持回転要素と、前記可動要素に前記第１回転中心軸線と交差する方向に延在して設けられ、前記変速機軸内に供給された潤滑媒体を前記各回転要素間の変速比に応じて前記転動部材側に供給可能である可動要素供給路とを備えることを特徴とする。
【０００７】
また、上記無段変速機では、前記可動要素供給路は、前記各回転要素間の変速比が増速側の所定の変速比である場合に前記潤滑媒体を前記変速機軸側から前記転動部材側に供給する第１供給路を有するものとすることができる。
【０００８】
また、上記無段変速機では、前記可動要素供給路は、前記各回転要素間の変速比が減速側の所定の変速比である場合に前記潤滑媒体を前記変速機軸側から前記転動部材側に供給する第２供給路を有するものとすることができる。
【０００９】
また、上記無段変速機では、前記変速機軸内に設けられ前記潤滑媒体が供給される変速機軸供給路を備え、前記可動要素供給路は、前記可動要素と前記固定要素との相対回転に伴った前記可動要素と前記変速機軸との相対回転に応じて、前記変速機軸供給路との連通状態が切り替わるものとすることができる。
【００１０】
また、上記無段変速機では、前記支持軸は、前記第２回転中心軸線に沿って設けられ、前記可動要素供給路を介して前記転動部材側に供給された前記潤滑媒体を前記固定要素側に供給する支持軸供給路を有するものとすることができる。
【００１１】
また、上記無段変速機では、前記転動部材は、前記第１回転要素に入力されたトルクを前記第２回転要素に伝達可能であり、前記可動要素供給路は、前記各回転要素間の変速比が増速側の所定の変速比である場合、前記第１回転要素と前記転動部材との接触点側への前記潤滑媒体の供給量を前記第２回転要素と前記転動部材との接触点側への前記潤滑媒体の供給量より多くし、前記各回転要素間の変速比が減速側の所定の変速比である場合、前記第２回転要素と前記転動部材との接触点側への前記潤滑媒体の供給量を前記第１回転要素と前記転動部材との接触点側への前記潤滑媒体の供給量より多くするものとすることができる。
【００１２】
また、上記無段変速機では、前記増速側の所定の変速比は、実現可能な最小変速比であり、前記減速側の所定の変速比は、実現可能な最大変速比であるものとすることができる。
【発明の効果】
【００１３】
本発明に係る無段変速機は、適切な潤滑性能を確保することができる、という効果を奏する。
【図面の簡単な説明】
【００１４】
【図１】図１は、実施形態に係る無段変速機の概略断面図である。
【図２】図２は、実施形態に係る無段変速機の部分断面図である。
【図３】図３は、実施形態に係る無段変速機の固定キャリアについて説明する平面図である。
【図４】図４は、実施形態に係る無段変速機の可動キャリアについて説明する平面図である。
【図５】図５は、実施形態に係る無段変速機のカバープレートについて説明する平面図である。
【図６】図６は、実施形態に係る無段変速機におけるスピン損失の変速比依存性を説明する線図である。
【図７】図７は、実施形態に係る無段変速機における変速機軸の概略断面図である。
【図８】図８は、実施形態に係る無段変速機の動作を説明する部分断面図である。
【図９】図９は、実施形態に係る無段変速機の動作を説明する部分断面図である。
【発明を実施するための形態】
【００１５】
以下に、本発明に係る実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１６】
［実施形態］
図１は、実施形態に係る無段変速機の概略断面図、図２は、実施形態に係る無段変速機の部分断面図、図３は、実施形態に係る無段変速機の固定キャリアについて説明する平面図、図４は、実施形態に係る無段変速機の可動キャリアについて説明する平面図、図５は、実施形態に係る無段変速機のカバープレートについて説明する平面図、図６は、実施形態に係る無段変速機におけるスピン損失の変速比依存性を説明する線図、図７は、実施形態に係る無段変速機における変速機軸の概略断面図、図８、図９は、実施形態に係る無段変速機の動作を説明する部分断面図である。
【００１７】
本実施形態の無段変速機は、車両に搭載され、内燃機関などの動力源が発生する動力（トルク）を車両の駆動輪に伝達するものである。この無段変速機は、接触させた回転要素間に介在させた流体例えばトラクション油（伝達油）によってこの回転要素間で動力を伝達可能ないわゆるトラクションドライブ方式の無段変速機である。無段変速機は、一方の回転要素と他方の回転要素との接触面に介在するトラクション油をせん断するときに生ずる抵抗力（トラクション力、トラクション油膜のせん断力）を利用して動力（トルク）を伝達する。本実施形態の無段変速機は、いわゆるボールプラネタリ式無段変速機（ＣＶＰ：Ｃｏｎｔｉｎｕｏｕｓｌｙ  Ｖａｒｉａｂｌｅ  Ｐｌａｎｅｔａｒｙ）である。この無段変速機は、例えば、アクチュエータ等によってキャリアの一部を回転させることにより、ボールの回転軸を傾斜（傾転）させる機構を備えたＣＶＰである。
【００１８】
具体的には、図１、図２に示すように、本実施形態の無段変速機１の主要部を成す無段変速機構は、共通の第１回転中心軸線Ｒ１を有し相互間での相対回転が可能な第１回転要素としての第１回転部材１０、第２回転要素としての第２回転部材２０、第３回転要素としてのサンローラ３０、及び、第４回転要素であり支持回転要素としてのキャリア４０とを備える。さらに、無段変速機１は、第１回転中心軸線Ｒ１とは異なる第２回転中心軸線Ｒ２を各々有する複数の転動部材としての遊星ボール５０と、第１回転部材１０、第２回転部材２０、サンローラ３０等の回転中心となる変速機軸６０とを備える。無段変速機１は、第２回転中心軸線Ｒ２を第１回転中心軸線Ｒ１に対して傾斜させ、キャリア４０によって傾転自在に保持される遊星ボール５０を傾転させることによって、入出力間の変速比を変えるものである。
【００１９】
なお、以下の説明では、特に断りのない限り、第１回転中心軸線Ｒ１や第２回転中心軸線Ｒ２に沿う方向を軸方向、第１回転中心軸線Ｒ１周りの方向を周方向という。また、第１回転中心軸線Ｒ１に直交する方向を径方向といい、その中でも、内方に向けた側を径方向内側、外方に向けた側を径方向外側という。
【００２０】
無段変速機１は、典型的には、第１回転部材１０と第２回転部材２０とサンローラ３０とキャリア４０との間で各遊星ボール５０を介したトルクの伝達が行われる。例えば、無段変速機１は、第１回転部材１０、第２回転部材２０、サンローラ３０及びキャリア４０のうちの１つがトルク（動力）の入力部となり、残りの回転要素の内の少なくとも１つがトルクの出力部となる。そして、無段変速機１は、入力部となる何れかの回転要素と出力部となる何れかの回転要素との間の回転速度（回転数）の比が変速比となる。ここでは、無段変速機１は、第１回転部材１０が入力部、第２回転部材２０が出力部となる場合を説明する。
【００２１】
また、無段変速機１は、変速機軸６０の中心軸（第１回転中心軸線Ｒ１）を中心にして放射状に複数個の遊星ボール５０が配置される。遊星ボール５０は、第２回転中心軸線Ｒ２を回転中心として回転（自転）可能である。遊星ボール５０は、変速機軸６０にこの変速機軸６０の軸方向に対向して配置させた第１回転部材１０と第２回転部材２０とに挟持される。また、遊星ボール５０は、キャリア４０に自転可能に支持される。無段変速機１は、第１回転部材１０、第２回転部材２０のうちの少なくとも一方を遊星ボール５０に押し付けることによって、第１回転部材１０、第２回転部材２０、サンローラ３０と遊星ボール５０との間に適切な摩擦力（トラクション力）を発生させ、その間におけるトルクの伝達を可能にする。また、無段変速機１は、遊星ボール５０を第２回転中心軸線Ｒ２と第１回転中心軸線Ｒ１とを含む傾転平面上で傾転させ、第１回転部材１０と第２回転部材２０との間の回転速度（回転数）の比を変化させることによって、入出力間の回転速度（回転数）の比を変える。
【００２２】
なお、無段変速機１は、第１回転部材１０、第２回転部材２０、サンローラ３０、キャリア４０の全てが変速機軸６０に対して相対回転可能なものもあれば、第１回転部材１０、第２回転部材２０、サンローラ３０、キャリア４０のうちの何れか１つを変速機軸６０に対して相対回転できない構成とするものもある。以下においては、キャリア４０の一部が変速機軸６０に対して固定される例について説明するがこれに限られない。ここでは、変速機軸６０は、中心軸を第１回転中心軸線Ｒ１に一致させた円柱状に形成され、不図示の筐体や車体等における無段変速機１の固定部に固定し当該固定部に対して相対回転させぬよう構成した固定軸である。
【００２３】
以下、無段変速機１の各構成について詳細に説明する。
【００２４】
第１回転部材１０、第２回転部材２０は、中心軸を第１回転中心軸線Ｒ１に一致させた円盤部材（ディスク）や円環部材（リング）であり、第１回転中心軸線Ｒ１の軸方向で対向させて各遊星ボール５０を挟み込むように配設する。この例示においては、双方ともリング状の円環部材とする。第１回転部材１０、第２回転部材２０は、共通の第１回転中心軸線Ｒ１を回転中心として相対回転可能である。
【００２５】
第１回転部材１０と第２回転部材２０とは、内周面に各遊星ボール５０の径方向外側の外周曲面と接触する接触面１０ａ、２０ａを有している。第１回転部材１０、第２回転部材２０の各接触面１０ａ、２０ａは、例えば、遊星ボール５０の外周曲面の曲率と同等の曲率の凹円弧面、外周曲面の曲率とは異なる曲率の凹円弧面、凸円弧面又は平面等の形状を成している。ここでは、各接触面１０ａ、２０ａは、後述する基準位置の状態（第１回転中心軸線Ｒ１と第２回転中心軸線Ｒ２とが平行である状態）で、第１回転中心軸線Ｒ１から当該遊星ボール５０との接触部分までの距離が同等の長さになるように形成され、第１回転部材１０、第２回転部材２０の各遊星ボール５０に対する各接触角θが同等の角度になるようにしている。
【００２６】
ここで、接触角θとは、基準から遊星ボール５０と各接触面１０ａ、２０ａとの接触部分までの角度のことである。ここでは、径方向を基準にしている。第１回転部材１０、第２回転部材２０の遊星ボール５０との接触面１０ａ、２０ａは、遊星ボール５０の外周曲面に対して点接触又は面接触している。また、第１回転部材１０、第２回転部材２０の遊星ボール５０との接触面１０ａ、２０ａは、第１回転部材１０、第２回転部材２０から遊星ボール５０に向けて軸方向の力が加わった際に、遊星ボール５０に対して径方向内側でかつ斜め方向の力（法線力Ｆｎ）が加わるように形成されている。
【００２７】
この無段変速機１は、第１回転部材１０を無段変速機１の正駆動時（入力部としての回転要素にトルクが入力される場合）におけるトルク入力部（入力リング）として機能させる。また、無段変速機１は、第２回転部材２０を無段変速機１の正駆動時におけるトルク出力部（出力リング）として機能させる。無段変速機１は、第１回転部材１０にトルクカム７０を介して入力フランジ１１が連結される。また、無段変速機１は、第２回転部材２０にトルクカム７１を介して出力フランジ２１が連結される。入力フランジ１１、出力フランジ２１は、第１回転中心軸線Ｒ１を回転中心として変速機軸６０と相対回転可能に設けられる。
【００２８】
入力フランジ１１は、トルクカム７０を介して第１回転部材１０と一体回転可能であり、正駆動時に第１回転部材１０に動力を伝達する。入力フランジ１１は、筒状部１１ａ、円盤部１１ｂ等を含んで構成される。入力フランジ１１は、円盤部１１ｂ側がトルクカム７０を介して第１回転部材１０に連結され、筒状部１１ａ側が車両の動力源側に連結される。筒状部１１ａは、円筒状又は円柱状の回転軸１２を径方向外側から覆い、かつ、この回転軸１２に固定される円筒状のものであり、その中心軸を第１回転中心軸線Ｒ１に一致させている。この例示では、筒状部１１ａの内周面と回転軸１２の外周面との間にスプライン軸受が形成されており、筒状部１１ａと回転軸１２とがスプライン嵌合によって固定される。ここで、回転軸１２とは、変速機軸６０の一端に同心上に配置された入力用の回転軸であり、軸受（例えばころ軸受やニードル軸受等）Ｂ１を介して変速機軸６０に対する周方向の相対回転を行うことができる。したがって、この入力フランジ１１は、筒状部１１ａが固定された回転軸１２と軸受Ｂ１を介して変速機軸６０に対する周方向の相対回転を行うことになる。円盤部１１ｂは、筒状部１１ａの一端から径方向外側に向けて延設した円盤状のものであり、その中心軸を第１回転中心軸線Ｒ１に一致させている。この円盤部１１ｂは、その外径が第１回転部材１０の外径と略同等の大きさになるよう成形する。この円盤部１１ｂは、第１回転中心軸線Ｒ１の軸方向に対して、後述の固定キャリア４１と隣接し対向する。円盤部１１ｂは、第１回転中心軸線Ｒ１の軸方向に対して、後述の固定キャリア４１と、出力フランジ２１の円盤部２１ｂとの間に配置される。
【００２９】
出力フランジ２１は、トルクカム７１を介して第２回転部材２０と一体回転可能であり、正駆動時にこの第２回転部材２０から動力が伝達される。出力フランジ２１は、第１筒状部２１ａ、円盤部２１ｂ、第２筒状部２１ｃ等を含んで構成される。出力フランジ２１は、第１筒状部２１ａ側が円環部材７２、トルクカム７１を介して第２回転部材２０に連結され、第２筒状部２１ｃ側が車両の駆動輪側に連結される。第１筒状部２１ａは、第１回転部材１０及び第２回転部材２０を径方向外側から覆う円筒状のものであり、その中心軸を第１回転中心軸線Ｒ１に一致させている。さらに、この第１筒状部２１ａは、トルクカム７０、トルクカム７１や入力フランジ１１の円盤部１１ｂについても径方向外側から覆うよう軸線方向に延設されている。円盤部２１ｂは、その第１筒状部２１ａの延設端部から径方向内側でかつ入力フランジ１１の筒状部１１ａの外周面に向けて延設した円盤状のものであり、その中心軸を第１回転中心軸線Ｒ１に一致させている。この円盤部２１ｂは、第１回転中心軸線Ｒ１の軸方向に対して、入力フランジ１１の円盤部１１ｂと隣接し対向させて配置されている。第２筒状部２１ｃは、入力フランジ１１の筒状部１１ａを径方向外側から覆った円筒状のものであり、その中心軸を第１回転中心軸線Ｒ１に一致させて円盤部２１ｂの内径側から軸線方向に延設されている。
【００３０】
この無段変速機１は、出力フランジ２１の第２筒状部２１ｃの内周面と入力フランジ１１の筒状部１１ａの外周面との間に軸受（例えばころ軸受やニードル軸受等）Ｂ２が配設されている。また、無段変速機１は、入力フランジ１１と出力フランジ２１それぞれの円盤部１１ｂ、２１ｂの間にスラスト軸受（ここではスラストころ軸受やスラストニードル軸受、スラスト玉軸受等）ＴＢが配設されている。したがって、入力フランジ１１と出力フランジ２１とは、その相互間においても軸受Ｂ２やスラスト軸受ＴＢを介して相対回転可能である。
【００３１】
トルクカム７０、７１は、回転トルクを第１回転中心軸線Ｒ１に沿った軸力に変換するトルク軸力変換機構であり、押圧力発生機構である。このトルクカム７０、７１が発生させる軸力とは、第１回転部材１０、第２回転部材２０を各遊星ボール５０に押し付けるための押圧力である。トルクカム７０は、第１回転部材１０と入力フランジ１１との間に配設される。トルクカム７１は、第２回転部材２０と出力フランジ２１との間に配設される。トルクカム７０は、入力フランジ１１と第１回転部材１０との間で回転トルクを伝達する際に、伝達されるトルクの大きさに応じて第１回転部材１０に対して軸方向に沿った各遊星ボール５０側への推力（軸力）を発生させる。トルクカム７１は、出力フランジ２１と第２回転部材２０との間で回転トルクを伝達する際に、伝達されるトルクの大きさに応じて第２回転部材２０に対して軸方向に沿った各遊星ボール５０側への推力（軸力）を発生させる。
【００３２】
なお、この無段変速機１においては、第１回転部材１０をトルク出力部とし、かつ、第２回転部材２０をトルク入力部とすることも可能であり、その場合、入力フランジ１１として設けているものを出力軸として利用し、出力フランジ２１として設けているものを入力軸として利用する。また、無段変速機１においては、サンローラ３０やキャリア４０をトルク入力部やトルク出力部として用いる場合には、後述のサンローラ３０やキャリア４０に対して別途構成した入力軸や出力軸を連結する。
【００３３】
サンローラ３０は、中心軸を第１回転中心軸線Ｒ１に一致させた円筒状のものであり、軸受ＲＢ、アンギュラ軸受ＡＢによって変速機軸６０に対する周方向への相対回転を行えるよう支持される。つまり、サンローラ３０は、変速機軸６０、第１回転部材１０、第２回転部材２０、後述のキャリア４０に対して第１回転中心軸線Ｒ１を回転中心として相対回転可能に変速機軸６０に配置される。さらに、サンローラ３０は、変速機軸６０の軸方向に対して、軸受ＲＢの外輪、アンギュラ軸受ＡＢの外輪等によって位置決めされており、変速機軸６０の軸方向に対して相対移動不能に固定される。
【００３４】
サンローラ３０は、外周面３１が複数個の遊星ボール５０と接触する。サンローラ３０の外周面３１には、複数個の遊星ボール５０が放射状に略等間隔で配置される。したがって、サンローラ３０は、外周面３１が遊星ボール５０の自転の際の転動面となる。サンローラ３０は、自らの回転動作によって各遊星ボール５０を転動（自転）させることもできれば、各遊星ボール５０の転動動作（自転動作）に伴って回転することもできる。
【００３５】
なお、本実施形態のサンローラ３０は、アンギュラ軸受ＡＢによって支持される第１分割構造体３２、軸受ＲＢによって支持される第２分割構造体３３の２つの部位からなる分割構造となっている。ここでは、第１分割構造体３２は、アンギュラ軸受ＡＢと共に第１回転部材１０側に配置され、第２分割構造体３３は、軸受ＲＢと共に第２回転部材２０側に配置される。第１分割構造体３２と第２分割構造体３３とは、第１回転中心軸線Ｒ１の軸方向に対して互いに近接して対向している。これにより、この無段変速機１は、サンローラ３０と遊星ボール５０との間のスピン損失を低減させ、動力伝達効率の低下を抑えることができる。この場合、サンローラ３０の外周面３１は、第１分割構造体３２の外周面、及び、第２分割構造体３３の外周面によって構成される。なお、このサンローラ３０は、このような分割構造でなくてもよい。
【００３６】
キャリア４０は、変速機軸６０に配置され、第１回転中心軸線Ｒ１を回転中心として第１回転部材１０、第２回転部材２０、サンローラ３０等と相対回転可能である。キャリア４０は、遊星ボール５０の支持軸（スピンドル、あるいはピニオンピンともいう。）５１を遊星ボール５０の傾転動作が可能な状態で保持するものである。キャリア４０は、支持軸５１の端部が挿入されこの支持軸５１の端部を、遊星ボール５０の傾転動作が可能な状態で保持するガイド部として、第１ガイド部４４及び第２ガイド部４５を有する。第１ガイド部４４及び第２ガイド部４５は、それぞれ、支持軸５１の端部であり円筒状又は円柱状に形成されるガイド端部としての第１ガイド端部５２、第２ガイド端部５３が挿入される。第１ガイド部４４及び第２ガイド部４５は、この第１ガイド端部５２、第２ガイド端部５３を遊星ボール５０の傾転動作が可能な状態で保持する。
【００３７】
ここで、遊星ボール５０は、支持軸５１を介してキャリア４０によって傾転自在に保持されるものである。遊星ボール５０は、第１回転中心軸線Ｒ１とは異なる第２回転中心軸線Ｒ２を回転中心として回転可能であり第１回転部材１０と第２回転部材２０とに挟持され当該第１回転部材１０及び当該第２回転部材２０との間でトルクを伝達可能である。遊星ボール５０は、後述するように、傾転動作によって各回転要素間の回転速度比である変速比を変更可能である。遊星ボール５０は、サンローラ３０の外周面３１上を転がる転動部材である。遊星ボール５０は、完全な球状体であることが好ましいが、少なくとも転動方向にて球形を成すもの、例えばラグビーボールの様な断面が楕円形状のものであってもよい。遊星ボール５０は、その中心を通って貫通させた支持軸５１によって回転自在に支持される。支持軸５１は、第２回転中心軸線Ｒ２を回転中心として遊星ボール５０を支持し両端部が遊星ボール５０から突出している。例えば、遊星ボール５０は、支持軸５１の外周面との間に配設したラジアル軸受ＲＢ３、ＲＢ４によって、第２回転中心軸線Ｒ２を回転軸とした支持軸５１に対する相対回転（つまり自転）ができるようにしている。ここでは、遊星ボール５０は、支持軸５１が挿入される貫通孔５０ａが形成されている。遊星ボール５０は、貫通孔５０ａ内に設けられるラジアル軸受ＲＢ３、ＲＢ４によって回転可能に支持される。したがって、遊星ボール５０は、支持軸５１の第２回転中心軸線Ｒ２を中心にしてサンローラ３０の外周面３１上を転動することができる。
【００３８】
支持軸５１の基準となる位置は、図１に示すように、第２回転中心軸線Ｒ２が第１回転中心軸線Ｒ１と平行になる位置である。支持軸５１は、基準位置で形成される自身の回転中心軸（第２回転中心軸線Ｒ２）と第１回転中心軸線Ｒ１とを含む傾転平面内において、基準位置とそこから傾斜させた位置との間を遊星ボール５０と共に揺動（傾転）することができる。この傾転は、傾転平面内で遊星ボール５０の中心を支点にして行われる。そして、遊星ボール５０から突出した支持軸５１の両端は、次に説明するようにキャリア４０に各遊星ボール５０の傾転動作が可能な状態で保持される。
【００３９】
キャリア４０は、各遊星ボール５０の傾転動作を妨げないように、遊星ボール５０を支持する支持軸５１の端部を支持する。本実施形態のキャリア４０は、固定要素としての固定キャリア４１と、可動要素としての可動キャリア４２と、プレート４３とを有する。固定キャリア４１、可動キャリア４２、プレート４３は、いずれも中心軸を第１回転中心軸線Ｒ１に一致させた円環板状のものであり、変速機軸６０上に設けられる。ここでは、固定キャリア４１は、第１回転部材１０、トルクカム７０等の径方向内側に配置され、可動キャリア４２、プレート４３は、第２回転部材２０、トルクカム７１等の径方向内側に配置される。キャリア４０は、固定キャリア４１と可動キャリア４２とによって支持軸５１の両端部を各遊星ボール５０の傾転動作が可能な状態で保持する。そして、キャリア４０は、固定キャリア４１と可動キャリア４２との相対回転によって支持軸５１と共に各遊星ボール５０を傾転させ各回転要素間の回転速度比である変速比を変更可能である。
【００４０】
固定キャリア４１は、支持軸５１の一端部である第１ガイド端部５２側に変速機軸６０と相対回転不能に設けられる。固定キャリア４１は、内周面側にてボルト等を介して変速機軸６０のフランジ部に固定される。可動キャリア４２は、支持軸５１の他端部である第２ガイド端部５３側に固定キャリア４１と対向して配置され変速機軸６０と相対回転可能に設けられる。すなわち、固定キャリア４１と可動キャリア４２とは、第１回転中心軸線Ｒ１の軸方向に対して、遊星ボール５０を挟んで対向するようにして配置される。可動キャリア４２は、所定の回転角の範囲で変速機軸６０と相対回転可能である。可動キャリア４２は、内周面側にて軸受等を介して変速機軸６０の外周面上に第１回転中心軸線Ｒ１を回転中心として相対回転可能に支持される。したがって、可動キャリア４２と固定キャリア４１とは、第１回転中心軸線Ｒ１を回転中心として相対回転可能である。プレート４３は、第１回転中心軸線Ｒ１の軸方向に対して遊星ボール５０と可動キャリア４２との間に配置され固定キャリア４１と相対回転不能に設けられる。プレート４３は、第１回転中心軸線Ｒ１の軸方向に沿った複数の連結軸等を介して固定キャリア４１に対して固定される。固定キャリア４１とプレート４３とは、連結軸等を介して連結されることで全体として籠状の構造となっている。したがって、可動キャリア４２とプレート４３とは、第１回転中心軸線Ｒ１を回転中心として相対回転可能である。そして、固定キャリア４１は、第１ガイド部４４を有し、可動キャリア４２は、第２ガイド部４５を有し、プレート４３は、スリット部４６を有する。
【００４１】
ここで、本実施形態の支持軸５１は、第１ガイド端部５２、第２ガイド端部５３のうちの一方と中間部５４（支持軸５１の本体部）とを分割構造としている。この支持軸５１は、第１ガイド端部５２、第２ガイド端部５３の外径が中間部５４の外径より大きく形成されている。そして、支持軸５１は、第２ガイド端部５３が中間部５４と一体に形成され、第１ガイド端部５２が中間部５４とは別体に形成されて中間部５４に組み付けられる。これにより、無段変速機１は、遊星ボール５０と支持軸５１との間にラジアル軸受ＲＢ３、ＲＢ４等を設ける場合に、当該ラジアル軸受ＲＢ３、ＲＢ４の組み付け性を向上することができる。
【００４２】
第１ガイド部４４は、図１、図２、図３に示すように、固定キャリア４１に第１回転中心軸線Ｒ１と直交する径方向に延在しかつ遊星ボール５０に向かって開口して形成される。第１ガイド部４４は、有底のガイド溝部として形成され、すなわち、第１回転中心軸線Ｒ１の軸方向に対して固定キャリア４１を貫通していない構成となっている。ここでは、第１ガイド部４４は、直線状に形成され第１回転中心軸線Ｒ１側とは反対側の端部、すなわち、径方向外側の端部が開放されている。第１ガイド部４４は、複数の遊星ボール５０（ここでは８つ）に対応して、第１回転中心軸線Ｒ１を中心として放射状に複数（ここでは８つ）設けられる。複数の第１ガイド部４４は、第１回転中心軸線Ｒ１周りに等間隔で設けられる。第１ガイド部４４は、支持軸５１の第１ガイド端部５２が挿入されこの支持軸５１の第１ガイド端部５２の移動を案内可能である。ここでは、支持軸５１の第１ガイド端部５２は、第１ガイド部４４によって径方向への移動が案内されるガイド端部として機能する。
【００４３】
第２ガイド部４５は、図１、図２、図４に示すように、可動キャリア４２に第１回転中心軸線Ｒ１と直交する径方向に対して傾斜した方向に延在しかつ遊星ボール５０に向かって開口して形成される。第２ガイド部４５は、有底のガイド溝部として形成され、すなわち、第１回転中心軸線Ｒ１の軸方向に対して可動キャリア４２を貫通していない構成となっている。ここでは、第２ガイド部４５は、直線状に形成されると共に、第１回転中心軸線Ｒ１を通る径方向に沿った直線に対して略平行にオフセットされた位置に形成される。また、第２ガイド部４５は、径方向外側の端部が開放されている。第２ガイド部４５は、第１ガイド部４４と同様に、複数の遊星ボール５０（ここでは８つ）に対応して複数（ここでは８つ）設けられる。各第２ガイド部４５は、第１回転中心軸線Ｒ１の軸方向に見た場合（図１中、矢印Ａ方向に見た場合）に、それぞれ対応する第１ガイド部４４と一部が重なって交差する位置に形成される。この第１ガイド部４４と第２ガイド部４５との交差部位は、固定キャリア４１と可動キャリア４２とが第１回転中心軸線Ｒ１を回転中心として相対回転することで、径方向に沿って移動することとなる。そして、第２ガイド部４５は、支持軸５１の第２ガイド端部５３が挿入されこの支持軸５１の第２ガイド端部５３の移動を案内可能である。ここでは、支持軸５１の第２ガイド端部５３は、第２ガイド部４５によって移動が案内されるガイド端部として機能する。第２ガイド部４５は、内側壁面と第２ガイド端部５３の外周面とが当接することで、第２ガイド端部５３を支持し所定の径方向位置で位置決めする。
【００４４】
なお、第２ガイド部４５は、第１回転中心軸線Ｒ１と直交する径方向に対して傾斜した方向に延在する円弧状に形成され、第１回転中心軸線Ｒ１の軸方向に見た場合に、第１ガイド部４４と一部が重なって交差する位置に形成されてもよい。
【００４５】
スリット部４６は、図１、図２、図５に示すように、プレート４３に第１回転中心軸線Ｒ１と直交する径方向に延在しかつ第１回転中心軸線Ｒ１の軸方向に貫通して形成される。すなわち、スリット部４６は、プレート４３を第１回転中心軸線Ｒ１の軸方向に貫通したスリット孔として形成される。ここでは、スリット部４６は、直線状に形成され径方向外側の端部が開放されている。スリット部４６は、第１ガイド部４４と同様に、複数の遊星ボール５０（ここでは８つ）に対応して、第１回転中心軸線Ｒ１を中心として放射状に複数（ここでは８つ）設けられる。複数のスリット部４６は、第１回転中心軸線Ｒ１周りに等間隔で設けられる。各スリット部４６は、固定キャリア４１とプレート４３とが固定された状態で、対応する第１ガイド部４４と第１回転中心軸線Ｒ１の軸方向に対して対向する。したがって、各スリット部４６は、第１回転中心軸線Ｒ１の軸方向に見た場合（図１中、矢印Ａ方向に見た場合）に、それぞれ対応する第２ガイド部４５と一部が重なって交差する位置に形成される。このスリット部４６と第２ガイド部４５との交差部位は、第１ガイド部４４と第２ガイド部４５との交差部位と同様に、固定キャリア４１と可動キャリア４２とが第１回転中心軸線Ｒ１を回転中心として相対回転することで、径方向に沿って移動することとなる。そして、スリット部４６は、支持軸５１の両端部、すなわち、第１ガイド端部５２、第２ガイド端部５３との間の中間部５４が挿入されこの支持軸５１の中間部５４の移動を許容する。
【００４６】
上記のように構成されるキャリア４０は、第１ガイド部４４と第２ガイド部４５とスリット部４６とによって、支持軸５１を遊星ボール５０の傾転動作が可能な状態で保持する。そして、キャリア４０は、固定キャリア４１と可動キャリア４２との相対回転に伴った第１ガイド部４４と第２ガイド部４５との相対変位によって支持軸５１と共に遊星ボール５０を傾転させ各回転要素間の回転速度比である変速比を変更可能である。なお、このキャリア４０は、プレート４３を備えない構成としてもよい。
【００４７】
ここで、無段変速機１は、遊星ボール５０の傾転角が基準位置、すなわち、０度のときに、第１回転部材１０と第２回転部材２０とが同一回転速度（同一回転数）で回転する。つまり、このときには、第１回転部材１０と第２回転部材２０との回転比（回転速度又は回転数の比）が１となり、変速比γが１になっている。例えば、第１回転部材１０及び第２回転部材２０の回転速度を各々「Ｖ１」、「Ｖ２」とすると、その回転比は、「Ｖ１／Ｖ２」になる。一方、図２に一点鎖線で示すように、支持軸５１と共に遊星ボール５０を基準位置から傾転させた際には、支持軸５１の中心軸から第１回転部材１０との接触部分までの距離が変化すると共に、支持軸５１の中心軸から第２回転部材２０との接触部分までの距離が変化する。これにより、無段変速機１は、第１回転部材１０又は第２回転部材２０のうちのいずれか一方が基準位置のときよりも高速で回転し、他方が低速で回転するようになる。例えば第２回転部材２０は、遊星ボール５０を一方へと傾転させたとき（例えば、図２に一点鎖線で示す変速比γｍａｘ位置参照）に第１回転部材１０よりも低回転になり（減速）、他方へと傾転させたとき（例えば、図２に一点鎖線で示す変速比γｍｉｎ位置参照）に第１回転部材１０よりも高回転になる（増速）。したがって、この無段変速機１においては、その傾転角を変えることによって、各回転要素間の回転比（変速比γ）を無段階に変化させることができる。なおここでの増速時（γ＜１）には、図１における上側の遊星ボール５０を紙面反時計回り方向に傾転させかつ下側の遊星ボール５０を紙面時計回り方向に傾転させる。また、減速時（γ＞１）には、図１における上側の遊星ボール５０を紙面時計回り方向に傾転させかつ下側の遊星ボール５０を紙面反時計回り方向に傾転させる。
【００４８】
本実施形態の無段変速機１は、キャリア４０が変速比γを変える機構として機能する。無段変速機１は、キャリア４０によって各遊星ボール５０の第２回転中心軸線Ｒ２を傾斜させて当該各遊星ボール５０を傾転させることにより、遊星ボール５０の傾転角が変わり、変速比γが変更される。
【００４９】
ここでは、キャリア４０は、可動キャリア４２と固定キャリア４１との相対回転に応じて支持軸５１に対して傾転させる力、すなわち、傾転力を付与し支持軸５１と共に遊星ボール５０を傾転させる。キャリア４０は、例えば、不図示のＥＣＵ等の制御に応じてモータなどの駆動装置からウォームギア等の伝達部材を介して可動キャリア４２に回転動力が伝達されることで、可動キャリア４２が固定キャリア４１に対して相対回転する。これにより、第２ガイド部４５と第１ガイド部４４、スリット部４６との交差部位は、第１ガイド部４４、スリット部４６と第２ガイド部４５とが相対変位によって位相がずれることで、径方向に沿って移動することとなる。このとき、支持軸５１は、可動キャリア４２と固定キャリア４１との相対回転に応じて発生する傾転力によって、第２ガイド端部５３が第２ガイド部４５に沿って案内されながら押し上げられる又は押し下げられるように移動し、第１ガイド端部５２が第１ガイド部４４に沿って案内されながら移動する。つまり、支持軸５１は、第１ガイド端部５２が径方向外側、第２ガイド端部５３が径方向内側に移動し、あるいは、第２ガイド端部５３が径方向外側、第１ガイド端部５２が径方向内側に移動することで、第２回転中心軸線Ｒ２が第１回転中心軸線Ｒ１に対して揺動する。
【００５０】
このようにして、キャリア４０は、各遊星ボール５０の第２回転中心軸線Ｒ２が第１回転中心軸線Ｒ１を含む平面内に位置し、かつその平面内で第１回転中心軸線Ｒ１と平行な状態、すなわち、基準位置にある状態と、その平行状態から傾斜する状態とに傾転させることができる。この結果、支持軸５１は、第１ガイド端部５２の径方向位置と第２ガイド端部５３の径方向位置とのずれに応じて、第１回転中心軸線Ｒ１に対する第２回転中心軸線Ｒ２の傾斜角度である傾転角が変更され、これに伴って遊星ボール５０が傾転する。キャリア４０は、このようにして支持軸５１に傾転力を付与し、この支持軸５１を傾斜させることで第２回転中心軸線Ｒ２を傾斜させ、遊星ボール５０を傾転させることができる。したがって、この無段変速機１は、遊星ボール５０の傾転によって、支持軸５１の中心軸から第１回転部材１０と遊星ボール５０との接触部分までの距離が変化すると共に、支持軸５１の中心軸から遊星ボール５０と第２回転部材２０との接触部分までの距離が変化し、変速比が変更される。このとき、キャリア４０は、プレート４３においてスリット部４６によって支持軸５１の中間部５４の径方向への揺動が許容される。なお、本実施形態の無段変速機１は、可動キャリア４２が図４中の紙面反時計回り方向に回転することで、第２ガイド端部５３が中心側（第１回転中心軸線Ｒ１）に移動し、変速比が所定の変速幅の範囲内で増速側に変更される。また、無段変速機１は、可動キャリア４２が図４中の紙面時計回り方向に回転することで、第２ガイド端部５３が外側（第１回転中心軸線Ｒ１とは反対側）に移動し、変速比が所定の変速幅の範囲内で減速側に変更される。
【００５１】
上記のように構成される無段変速機１は、例えば、入力フランジ１１にトルクが伝達されると、当該トルクをトルクカム７０、第１回転部材１０、遊星ボール５０、第２回転部材２０、トルクカム７１等を介して出力フランジ２１に伝達することができる。このとき、無段変速機１は、例えば、入力フランジ１１から第１回転部材１０にトルクが伝達されると、トルクカム７０、トルクカム７１等の作用によって伝達されるトルクの大きさに応じて、第１回転部材１０と各遊星ボール５０、第２回転部材２０と各遊星ボール５０とを相対的に接近させ互いに押し付ける方向への押圧力（押圧荷重）が発生する。これにより、無段変速機１は、押圧力に応じた伝達トルク容量が確保され、この伝達トルク容量に応じて第１回転部材１０と各遊星ボール５０との間、各遊星ボール５０と第２回転部材２０との間にトラクション力（摩擦力）が発生する。この結果、無段変速機１は、第１回転部材１０と各遊星ボール５０との間、各遊星ボール５０と第２回転部材２０との間で相互に動力（トルク）を伝達することができる。
【００５２】
また、このトルクカム７０、トルクカム７１による押圧力は、第１回転部材１０、第２回転部材２０の接触面１０ａ、２０ａと各遊星ボール５０の外面の形状及び位置関係に応じた作用によって、各遊星ボール５０を介してサンローラ３０にも伝わる。これにより、無段変速機１は、トルクカム７０、トルクカム７１による押圧力に応じて各遊星ボール５０とサンローラ３０との間にトラクション力（摩擦力）が発生して、各遊星ボール５０とサンローラ３０との間でも相互に動力（トルク）を伝達することができる。
【００５３】
したがって、無段変速機１は、第１回転部材１０の回転に伴い第１回転部材１０と各遊星ボール５０との間に摩擦力（トラクション力）が発生し、各遊星ボール５０が自転を始める。そして、無段変速機１は、各遊星ボール５０の回転によって、各遊星ボール５０と第２回転部材２０との間、各遊星ボール５０とサンローラ３０との間にも摩擦力が発生し、第２回転部材２０とサンローラ３０も回転を始める。そして、無段変速機１は、駆動装置からの動力によってキャリア４０が上記のようにして各遊星ボール５０を傾転させ各遊星ボール５０の傾転角を変更することで変速比γを無段階に変更することができる。
【００５４】
ところで、本実施形態の無段変速機１は、変速比γに応じて入出力接点での発熱量が大きく変化する傾向にある。例えば、無段変速機１は、遊星ボール５０を増速側に傾転させた場合（例えば、図２の支持軸５１（γｍｉｎ）参照）、トルク入力部である第１回転部材１０の接触面１０ａと遊星ボール５０との接触点（接触楕円）Ｐ１における周速差に起因したスピン速度（あるいはスピン量）が相対的に大きくなる一方、トルク出力部である第２回転部材２０の接触面２０ａと遊星ボール５０との接触点（接触楕円）Ｐ２における周速差に起因したスピン速度（あるいはスピン量）が相対的に小さくなる傾向にある。逆に、無段変速機１は、遊星ボール５０を減速側に傾転させた場合（例えば、図２の支持軸５１（γｍａｘ）参照）、第１回転部材１０の接触面１０ａと遊星ボール５０との接触点Ｐ１におけるスピン速度が相対的に小さくなる一方、第２回転部材２０の接触面２０ａと遊星ボール５０との接触点Ｐ２におけるスピン速度が相対的に大きくなる傾向にある。そして、接触点Ｐ１、Ｐ２におけるスピンによる発熱に起因したスピン損失は、それぞれ接触点Ｐ１、Ｐ２におけるスピン速度（スピン量）と接触点面積（言い換えれば、接触楕円半径）と接触点面圧（例えば、接触楕円外周部の接触面圧）との積に比例する。例えば、接触点Ｐ１、Ｐ２におけるスピン損失は、それぞれ接触点Ｐ１、Ｐ２におけるスピン速度が相対的に大きいほど相対的に大きくなり、接触点面積が相対的に大きいほど相対的に大きくなり、接触点面圧が相対的に大きいほど相対的に大きくなる傾向にある。
【００５５】
図６は、無段変速機１におけるスピン損失の変速比依存性の一例を説明する線図である。図６は、横軸を変速比［γ］、縦軸を損失［Ｗ］として、変速比と損失との関係を表している。図６中、領域Ｔ１は、第１回転部材１０側の接触点Ｐ１におけるスピン損失を表している。領域Ｔ２は、第２回転部材２０側の接触点Ｐ２におけるスピン損失を表している。なお、領域Ｔ３は、サンローラ３０の第１分割構造体３２（入力側）と遊星ボール５０との接触点Ｐ３（図２参照）におけるスピン損失を表している。領域Ｔ４は、サンローラ３０の第２分割構造体３３（出力側）と遊星ボール５０との接触点Ｐ４（図２参照）におけるスピン損失を表している。
【００５６】
図６に示すように、無段変速機１は、上記のように遊星ボール５０を増速側に傾転させた場合（例えば、図２の支持軸５１（γｍｉｎ）参照）、第１回転部材１０側の接触点Ｐ１におけるスピン損失が相対的に大きくなる一方、第２回転部材２０側の接触点Ｐ２におけるスピン損失が相対的に小さくなる傾向にある。逆に、無段変速機１は、上記のように遊星ボール５０を減速側に傾転させた場合（例えば、図２の支持軸５１（γｍａｘ）参照）、第１回転部材１０側の接触点Ｐ１におけるスピン損失が相対的に小さくなる一方、第２回転部材２０側の接触点Ｐ２におけるスピン損失が相対的に大きくなる傾向にある。
【００５７】
そこで、本実施形態の無段変速機１は、各回転要素間の変速比γに応じて接触点Ｐ１、Ｐ２に対する潤滑状態を変更することで、潤滑性能の向上を図っている。
【００５８】
具体的には、本実施形態の無段変速機１は、図１、図２に示すように、各部の摺動部に対して潤滑媒体としてのオイル（トラクション油と兼用でも良い。）を供給するための機構として、オイルポンプ８０、変速機軸供給路８１、可動要素供給路としての可動キャリア供給路８２、支持軸供給路８３等を含んで構成される。オイルポンプ８０は、例えば、この無段変速機１を搭載する車両の走行用動力源が発生させる動力によって駆動することにより、オイルを所定の油圧に加圧し吐出する。無段変速機１は、オイルポンプ８０が吐出したオイルを変速機軸供給路８１、可動キャリア供給路８２、支持軸供給路８３等を介して接触点Ｐ１〜Ｐ４や各部の摺動部に供給し、これらを潤滑している。
【００５９】
変速機軸供給路８１は、変速機軸６０に形成されるオイル（潤滑媒体）供給路である。変速機軸供給路８１は、変速機軸６０内に設けられオイルが供給される。変速機軸供給路８１は、軸方向供給路８１ａ、サンローラ側径方向供給路８１ｂ（以下、「ローラ側径方向供給路８１ｂ」という場合がある。）、増速時径方向供給路８１ｃ、減速時径方向供給路８１ｄ等を含んで構成される。
【００６０】
軸方向供給路８１ａは、変速機軸６０の内部に軸方向に沿って形成され、一方の端部が開口し、他方の端部がオイルポンプ８０の吐出口側に接続される。
【００６１】
ローラ側径方向供給路８１ｂ、増速時径方向供給路８１ｃ、減速時径方向供給路８１ｄは、それぞれ、変速機軸６０の内部に径方向に沿って形成され、径方向内側端部が軸方向供給路８１ａと連通し、径方向外側端部が径方向外側に向かって開口している。
【００６２】
ローラ側径方向供給路８１ｂは、径方向外側の開口がサンローラ３０の油溜り部３４と対向する位置に形成される。ローラ側径方向供給路８１ｂは、第１回転中心軸線Ｒ１を中心として放射状に複数（例えば、複数の遊星ボール５０に対応して８つ）設けられる。複数のローラ側径方向供給路８１ｂは、第１回転中心軸線Ｒ１周りに等間隔で設けられる。
【００６３】
ここで、サンローラ３０の油溜り部３４は、第１回転中心軸線Ｒ１の軸方向に対して第１分割構造体３２と第２分割構造体３３との間に形成される円環状の凹部である。油溜り部３４は、ローラ側径方向供給路８１ｂから供給されるオイルを一時的に溜めることができる空間部である。油溜り部３４は、第１分割構造体３２と第２分割構造体３３との間に形成されたサンローラ供給路３５が接続される。サンローラ供給路３５は、径方向内側端部が油溜り部３４と連通し、径方向外側端部が外周面３１にて開口している。
【００６４】
増速時径方向供給路８１ｃ、減速時径方向供給路８１ｄは、径方向外側の開口が可動キャリア４２の内周面と対向する位置に形成される。増速時径方向供給路８１ｃと減速時径方向供給路８１ｄとは、第１回転中心軸線Ｒ１の軸方向に対して異なる位置に形成される。ここでは、増速時径方向供給路８１ｃと減速時径方向供給路８１ｄとは、減速時径方向供給路８１ｄが増速時径方向供給路８１ｃより第１回転部材１０側に形成される。増速時径方向供給路８１ｃは、図７に示すように、第１回転中心軸線Ｒ１を中心として放射状に複数（ここでは、後述の複数の増速時供給路８２ａに対応して８つ）設けられる。複数の増速時径方向供給路８１ｃは、第１回転中心軸線Ｒ１周りに等間隔で設けられる。減速時径方向供給路８１ｄは、第１回転中心軸線Ｒ１を中心として放射状に複数（ここでは、後述の複数の減速時供給路８２ｂに対応して８つ）設けられる。複数の減速時径方向供給路８１ｄは、第１回転中心軸線Ｒ１周りに等間隔で設けられる。複数の減速時径方向供給路８１ｄは、複数の増速時径方向供給路８１ｃと位相がずれるようにして形成されている。すなわち、第１回転中心軸線Ｒ１の軸方向に見た場合（図１中、矢印Ａ方向に見た場合）に、複数の増速時径方向供給路８１ｃと複数の減速時径方向供給路８１ｄとは、第１回転中心軸線Ｒ１周りに互いにずれた位置に重複しないように形成される。
【００６５】
可動キャリア供給路８２は、可動キャリア４２の内部に第１回転中心軸線Ｒ１と交差する方向、ここでは、径方向に沿って延在して設けられる。可動キャリア供給路８２は、変速機軸６０内の変速機軸供給路８１に供給されたオイルを各回転要素間の変速比γに応じて遊星ボール５０側に供給可能なものである。可動キャリア供給路８２は、変速比γに応じた供給路を複数含んで構成される。本実施形態の可動キャリア供給路８２は、第１供給路としての増速時供給路８２ａと、第２供給路としての減速時供給路８２ｂとを含んで構成される。
【００６６】
増速時供給路８２ａは、各回転要素間（第１回転部材１０と第２回転部材２０との間）の変速比γが増速側の所定の変速比である場合にオイルを変速機軸６０側から各遊星ボール５０側に供給するものである。減速時供給路８２ｂは、各回転要素間の変速比γが減速側の所定の変速比である場合にオイルを変速機軸６０側から各遊星ボール５０側に供給するものである。増速側の所定の変速比、減速側の所定の変速比は、典型的には、実車評価等に基づいて、要求される潤滑性能等に応じて予め設定される。ここでは、増速側の所定の変速比は、例えば、第１回転部材１０側の接触点Ｐ１におけるスピン損失が相対的に大きくなる最小変速比γｍｉｎに設定される。減速側の所定の変速比は、例えば、第２回転部材２０側の接触点Ｐ２におけるスピン損失が相対的に大きくなる最大変速比γｍａｘに設定される。増速時供給路８２ａは、変速比γが最小変速比γｍｉｎである場合にオイルを変速機軸６０側から各遊星ボール５０側に供給する。減速時供給路８２ｂは、変速比γが最大変速比γｍａｘである場合にオイルを変速機軸６０側から各遊星ボール５０側に供給する。
【００６７】
本実施形態の可動キャリア供給路８２は、可動キャリア４２と固定キャリア４１との相対回転に伴った可動キャリア４２と変速機軸６０との相対回転に応じて、変速機軸供給路８１との連通状態が切り替わる。これにより、可動キャリア供給路８２は、変速比γに応じて遊星ボール５０側へのオイルの供給状態が切り替わる。ここでは、可動キャリア供給路８２は、可動キャリア４２と変速機軸６０との相対回転に応じて、増速時供給路８２ａと変速機軸供給路８１との連通状態、減速時供給路８２ｂと変速機軸供給路８１との連通状態が切り替わる。
【００６８】
具体的には、増速時供給路８２ａは、第１回転中心軸線Ｒ１を中心として放射状に複数（ここでは、複数の第２ガイド部４５に対応して８つ）設けられる。複数の増速時供給路８２ａは、第１回転中心軸線Ｒ１周りに等間隔で設けられる。複数の増速時供給路８２ａは、可動キャリア４２の内部に径方向に沿って形成される。各増速時供給路８２ａは、変速比γが所定の変速比、ここでは、最小変速比γｍｉｎである場合に径方向内側端部がそれぞれ対応する増速時径方向供給路８１ｃに開口する位置に形成される。つまり、各増速時供給路８２ａは、変速機軸６０に対する可動キャリア４２の回転角が最小変速比γｍｉｎに対応する最小変速比回転角である場合に径方向内側端部がそれぞれ対応する増速時径方向供給路８１ｃと対向する。そして、各増速時供給路８２ａは、径方向外側端部がそれぞれ対応する第２ガイド部４５に開口する。ここでは、増速時供給路８２ａは、変速比γが最小変速比γｍｉｎである場合に、径方向外側の開口が支持軸５１の第２ガイド端部５３と対向するような位置に形成される（後述の図８参照）。
【００６９】
減速時供給路８２ｂは、第１回転中心軸線Ｒ１を中心として放射状に複数（ここでは、複数の第２ガイド部４５に対応して８つ）設けられる。複数の減速時供給路８２ｂは、第１回転中心軸線Ｒ１周りに等間隔で設けられる。複数の減速時供給路８２ｂは、可動キャリア４２の内部に径方向に沿って形成される。各減速時供給路８２ｂは、変速比γが所定の変速比、ここでは、最大変速比γｍａｘである場合に径方向内側端部がそれぞれ対応する減速時径方向供給路８１ｄに開口する位置に形成される。つまり、各減速時供給路８２ｂは、変速機軸６０に対する可動キャリア４２の回転角が最大変速比γｍａｘに対応する最大変速比回転角である場合に径方向内側端部がそれぞれ対応する減速時径方向供給路８１ｄと対向する。そして、各減速時供給路８２ｂは、径方向外側端部がそれぞれ対応する第２ガイド部４５に開口する。ここでは、減速時供給路８２ｂは、径方向外側の開口が増速時供給路８２ａの開口の近傍に位置するように形成される。
【００７０】
支持軸供給路８３は、各支持軸５１にそれぞれ設けられる供給路であり、可動キャリア供給路８２を介して遊星ボール５０側に供給されたオイルを固定キャリア４１側に供給するものである。ここでは、各支持軸供給路８３は、可動キャリア供給路８２等を介して第２ガイド部４５内に供給されたオイルを可動キャリア４２側から固定キャリア４１側に導くことができる。支持軸供給路８３は、支持軸５１の内部に軸方向に沿って形成され、第１ガイド端部５２から第２ガイド端部５３まで貫通している。支持軸供給路８３は、第１ガイド端部５２側の端部が第１ガイド部４４に開口し、第２ガイド端部５３側の端部が第２ガイド部４５に開口する。
【００７１】
上記のように構成される無段変速機１は、例えば、図２に示すように、オイルポンプ８０から吐出されたオイルが変速機軸供給路８１の軸方向供給路８１ａに供給される。軸方向供給路８１ａに供給されたオイルは、ローラ側径方向供給路８１ｂを介して油溜り部３４に溜められる。油溜り部３４に溜められたオイルは、オイルポンプ８０からの吐出圧とサンローラ３０の回転に伴った遠心力によってサンローラ供給路３５を介して外周面３１側の開口から遊星ボール５０側に吹きかけられる。これにより、無段変速機１は、遊星ボール５０に吹きかけられたオイルによって、第１回転部材１０、第２回転部材２０、サンローラ３０と各遊星ボール５０との接触点Ｐ１、Ｐ２、Ｐ３、Ｐ４等が潤滑され冷却される。また、遊星ボール５０に吹きかけられたオイルは、一部が各遊星ボール５０の回転（自転）に伴って弾きとばされて第１ガイド端部５２、第２ガイド端部５３の転動面や各部の摺動部に供給されこれらを潤滑、冷却する。遊星ボール５０に弾きとばされたオイルは、例えば、一部が貫通孔５０ａ内に供給され、遊星ボール５０の軸心部や支持軸５１、ラジアル軸受ＲＢ３、ＲＢ４等の各部の摺動部を潤滑、冷却する。なお、このラジアル軸受ＲＢ３、ＲＢ４は、サンローラ３０の内周側にオイルを積極的に受け入れるためにテーパローラベアリング等を採用してもよい。
【００７２】
このとき、無段変速機１は、図２に示すように、変速比γが１である場合、すなわち、第１回転中心軸線Ｒ１と第２回転中心軸線Ｒ２とが平行になっている場合、増速時供給路８２ａと増速時径方向供給路８１ｃとの連通、及び、減速時供給路８２ｂと減速時径方向供給路８１ｄとの連通が共に遮断された状態となっている。このため、無段変速機１は、変速比γが１である場合には、可動キャリア供給路８２を介した遊星ボール５０側へのオイルの供給が停止した状態（可動キャリア供給路８２を介したオイルの供給が行われない状態）となる。この結果、無段変速機１は、スピン損失等がそれほど大きくない変速状態の場合には、遊星ボール５０側へのオイルの供給量を相対的に抑制することができ、これにより、攪拌損失やポンプ負荷を抑制することができる。この結果、無段変速機１は、動力の伝達効率を向上することができる。
【００７３】
そして、無段変速機１は、スピン損失等が相対的に大きくなる傾向にある変速状態、ここでは、少なくとも変速比γが実現可能な最小変速比γｍｉｎ、実現可能な最大変速比γｍａｘとなっている場合には、可動キャリア供給路８２を介して遊星ボール５０側へオイルを供給することができる。この結果、無段変速機１は、スピン損失等が相対的に大きくなる変速状態の場合には、遊星ボール５０側へのオイルの供給量を相対的に増加することができる。これにより、無段変速機１は、スピン損失等が相対的に大きくなる変速状態の場合には、可動キャリア供給路８２を介して遊星ボール５０側へ供給されるオイルによって接触点Ｐ１、Ｐ２、Ｐ３、Ｐ４等をより積極的に潤滑、冷却することができる。
【００７４】
より詳細には、無段変速機１は、図８に示すように、変速比γが最小変速比γｍｉｎである場合、すなわち、第１回転中心軸線Ｒ１に対して第２回転中心軸線Ｒ２が増速側に傾斜している場合、減速時供給路８２ｂと減速時径方向供給路８１ｄとの連通が遮断された状態で維持されている。つまり、減速時径方向供給路８１ｄ、減速時供給路８２ｂは、共に閉塞した状態となっている。一方、無段変速機１は、変速比γを最小変速比γｍｉｎとする変速動作の過程で可動キャリア４２が変速機軸６０に対して相対回転し、当該可動キャリア４２の回転角が最小変速比回転角となると、増速時供給路８２ａが増速時径方向供給路８１ｃに開口し連通した状態となる。この結果、無段変速機１は、軸方向供給路８１ａに供給されたオイルの一部を、増速時径方向供給路８１ｃ、増速時供給路８２ａ、第２ガイド部４５等を介して遊星ボール５０側に供給することができる。したがって、無段変速機１は、スピン損失等が相対的に大きくなる傾向にある変速状態である場合に遊星ボール５０側へオイルの供給量を増加させて、各部を潤滑することができる。
【００７５】
このとき、支持軸供給路８３は、第２ガイド部４５内にて、支持軸５１の第２ガイド端部５３側の端部が増速時供給路８２ａの径方向外側の開口（出口）の近傍（ここでは当該開口と対向し連続する位置）に位置している。このため、増速時供給路８２ａ、第２ガイド部４５等を介して遊星ボール５０側に供給されたオイルは、一部がこの支持軸供給路８３内に供給され固定キャリア４１側に供給される。そして、支持軸供給路８３を介して固定キャリア４１側に供給されたオイルは、遊星ボール５０の外周面上の接触点Ｐ１に対応する位置の近傍に直接的に供給される。つまり、可動キャリア供給路８２は、各回転要素間の変速比γが増速側の所定の変速比、ここでは、最小変速比γｍｉｎである場合、第１回転部材１０と遊星ボール５０との接触点Ｐ１側へのオイルの供給量を第２回転部材２０と遊星ボール５０との接触点Ｐ２側へのオイルの供給量より多くすることができる構成となっている。この結果、無段変速機１は、変速比γが最小変速比γｍｉｎのときにスピン損失が小さくなる傾向にある接触点Ｐ２や接触点Ｐ１以外の部分へのオイルの供給を抑制した上で（あるいは通常量のまま維持した上で）、変速比γが最小変速比γｍｉｎのときにスピン損失が大きくなる傾向にある接触点Ｐ１へのオイルの供給量を増加し、効率的にオイルを供給することができる。
【００７６】
一方、無段変速機１は、図９に示すように、変速比γが最大変速比γｍａｘである場合、すなわち、第１回転中心軸線Ｒ１に対して第２回転中心軸線Ｒ２が減速側に傾斜している場合、増速時供給路８２ａと増速時径方向供給路８１ｃとの連通が遮断された状態で維持されている。つまり、増速時径方向供給路８１ｃ、増速時供給路８２ａは、共に閉塞した状態となっている。一方、無段変速機１は、変速比γを最大変速比γｍａｘとする変速動作の過程で可動キャリア４２が変速機軸６０に対して相対回転し、当該可動キャリア４２の回転角が最大変速比回転角となると、減速時供給路８２ｂが減速時径方向供給路８１ｄに開口し連通した状態となる。この結果、無段変速機１は、軸方向供給路８１ａに供給されたオイルの一部を、減速時径方向供給路８１ｄ、減速時供給路８２ｂ、第２ガイド部４５等を介して遊星ボール５０側に供給することができる。したがって、無段変速機１は、スピン損失等が相対的に大きくなる傾向にある変速状態である場合に遊星ボール５０側へオイルの供給量を増加させて、各部を潤滑することができる。
【００７７】
このとき、支持軸供給路８３は、第２ガイド部４５内にて、支持軸５１の第２ガイド端部５３側の端部が減速時供給路８２ｂの径方向外側の開口（出口）から離間して位置している。このため、減速時供給路８２ｂ、第２ガイド部４５等を介して遊星ボール５０側に供給されたオイルは、基本的にはこの支持軸供給路８３内には供給されずに、遊星ボール５０の外周面上の接触点Ｐ２に対応する位置の近傍に直接的に供給される。つまり、可動キャリア供給路８２は、各回転要素間の変速比γが減速側の所定の変速比、ここでは、最大変速比γｍａｘである場合、第２回転部材２０と遊星ボール５０との接触点Ｐ２側へのオイルの供給量を第１回転部材１０と遊星ボール５０との接触点Ｐ１側へのオイルの供給量より多くすることができる構成となっている。この結果、無段変速機１は、変速比γが最大変速比γｍａｘのときにスピン損失が小さくなる傾向にある接触点Ｐ１や接触点Ｐ２以外の部分へのオイルの供給を抑制した上で（あるいは通常量のまま維持した上で）、変速比γが最大変速比γｍａｘのときにスピン損失が大きくなる傾向にある接触点Ｐ２へのオイルの供給量を増加し、効率的にオイルを供給することができる。
【００７８】
この結果、無段変速機１は、変速比γに応じて、相対的に少ないオイル供給量で足りる箇所へのオイルの供給を抑制した上で、相対的に多くのオイル供給量が必要とされる箇所に可動キャリア供給路８２等を介して積極的にオイルを供給し、遊星ボール５０やその周辺部品を適切に潤滑することができる。つまり、無段変速機１は、変速比γに応じた各部のスピン損失の大小に応じて潤滑対象部位（例えば、接触点Ｐ１、Ｐ２）へのオイルの供給量を増減させることができるので、変速比γに応じた適切な潤滑性能を確保することができる。この結果、無段変速機１は、攪拌損失やポンプ負荷の抑制とスピン損失の抑制とを両立することができ、動力の伝達効率を向上することができる。また、無段変速機１を車両に適用した場合、基本的には増速側の変速比の使用頻度が相対的に高い傾向にあるため、例えば、変速比γが増速側の所定の変速比（最大変速比γｍａｘ）のときに上記のような構成で、第１回転部材１０側の接触点Ｐ１等へのオイル供給量を増加させることで損失低下と共に転動寿命向上を図ることもできる。
【００７９】
以上で説明した実施形態に係る無段変速機１によれば、変速機軸６０と、第１回転部材１０及び第２回転部材２０と、遊星ボール５０と、支持軸５１と、キャリア４０と、可動キャリア供給路８２とを備える。変速機軸６０は、回転中心となる。第１回転部材１０及び第２回転部材２０は、変速機軸６０に軸方向に対向して配置され、共通の第１回転中心軸線Ｒ１を回転中心として相対回転可能である。遊星ボール５０は、第１回転中心軸線Ｒ１とは異なる第２回転中心軸線Ｒ２を回転中心として回転可能であり第１回転部材１０と第２回転部材２０とに挟持され当該第１回転部材１０及び当該第２回転部材２０との間でトルクを伝達可能である。支持軸５１は、第２回転中心軸線Ｒ２を回転中心として遊星ボール５０を支持し両端部が当該遊星ボール５０から突出する。キャリア４０は、第１回転中心軸線Ｒ１を回転中心として第１回転部材１０、及び、第２回転部材２０と相対回転可能に変速機軸６０に配置されると共に支持軸５１の一端部側に変速機軸６０と相対回転不能に設けられる固定キャリア４１と、支持軸５１の他端部側に固定キャリア４１と対向して配置され変速機軸６０と相対回転可能に設けられる可動キャリア４２とを有する。キャリア４０は、固定キャリア４１と可動キャリア４２とによって支持軸５１の両端部を遊星ボール５０の傾転動作が可能な状態で保持する。キャリア４０は、固定キャリア４１と可動キャリア４２との相対回転によって支持軸５１と共に遊星ボール５０を傾転させ各回転要素間の回転速度比である変速比を変更可能である。可動キャリア供給路８２は、可動キャリア４２に第１回転中心軸線Ｒ１と交差する方向に延在して設けられ、変速機軸６０内に供給されたオイルを各回転要素間の変速比に応じて遊星ボール５０側に供給可能である。
【００８０】
したがって、無段変速機１は、変速比γ（あるいはスピン損失の大小等）に応じて潤滑対象部位へのオイルの供給量を調節し潤滑状態を変更することができるので、変速比γに応じた適切な潤滑性能を確保することができる。この結果、無段変速機１は、潤滑を適正に行い冷却性能を向上することができるので、動力の伝達効率を向上することができる。無段変速機１は、潤滑を適正に行うことができるので、遊星ボール５０等の転動寿命の低下を抑制することもできる。
【００８１】
なお、上述した本発明の実施形態に係る無段変速機は、上述した実施形態に限定されず、特許請求の範囲に記載された範囲で種々の変更が可能である。
【００８２】
以上で説明した無段変速機１は、支持軸供給路８３を有さない構成であってもよい。この場合であっても、無段変速機１は、所定の変速比（例えば、最小変速比γｍｉｎ、最大変速比γｍａｘ）のときに遊星ボール５０側への供給量を多くすることができるので、変速比γに応じた適切な潤滑性能を確保することができる。
【００８３】
以上で説明した可動キャリア供給路８２（可動要素供給路）は、増速時供給路８２ａ（第１供給路）と減速時供給路８２ｂ（第２供給路）とのいずれか一方を備え、他方を備えない構成であってもよいし、さらに複数の変速比に応じた供給路を含んで構成されてもよい。
【符号の説明】
【００８４】
１    無段変速機
１０    第１回転部材（第１回転要素）
２０    第２回転部材（第２回転要素）
３０    サンローラ
４０    キャリア（支持回転要素）
４１    固定キャリア（固定要素）
４２    可動キャリア（可動要素）
５０    遊星ボール（転動部材）
５１    支持軸
６０    変速機軸
８１    変速機軸供給路
８２    可動キャリア供給路（可動要素供給路）
８２ａ    増速時供給路（第１供給路）
８２ｂ    減速時供給路（第２供給路）
８３    支持軸供給路
Ｐ１、Ｐ２、Ｐ３、Ｐ４    接触点
Ｒ１    第１回転中心軸線
Ｒ２    第２回転中心軸線
【図１】
2014077468.tif 000003
【図２】
2014077468.tif 000004
【図３】
2014077468.tif 000005
【図４】
2014077468.tif 000006
【図５】
2014077468.tif 000007
【図６】
2014077468.tif 000008
【図７】
2014077468.tif 000009
【図８】
2014077468.tif 000010
【図９】
2014077468.tif 000011